(57)【特許請求の範囲】
【請求項１】
現在のインターフェースにおける要素を検出することと、
前記要素に合わせて、対応する操作コントロールを生成することと、
前記操作コントロールを前記要素上に移動させたと確認された後、前記要素に対して前記操作コントロールに対応する操作を実行することと、を含み、
前記操作コントロールを他のインターフェースに移動させること、をさらに含み、前記他のインターフェースに、前記操作コントロールに関連する前記要素が１つあると検出された場合、前記他のインターフェースにおける任意箇所に移動させると、前記要素に対応する前記操作コントロールのサービスを直接実行し、前記他のインターフェースに、前記操作コントロールに関連する前記要素が複数あると検出された場合、前記他のインターフェースに、前記操作要素に対して前記操作コントロールに対応するサービスを実行する技術特徴を表示させる、
操作処理方法。
【請求項２】
前記要素が複数のサブ要素を含む場合、前記操作コントロールを前記要素上に移動させたと確認された後、前記要素に対して前記操作コントロールに対応する操作を実行することは、
前記操作コントロールをマッチングしている前記要素上に移動させたと確認された後、前記複数のサブ要素を表示させることと、
前記操作コントロールを前記複数のサブ要素のいずれか１つ上に移動させたと確認された後、前記サブ要素に対して前記操作コントロールに対応する操作を実行することと、を含む、
請求項１に記載の方法。
【請求項３】
インターフェースにおける前記要素を、前記操作コントロールによる操作を可能とする状態にある操作可能要素と、前記操作コントロールによる操作を不可能とする状態にある操作不可要素とに分けること、をさらに含む、
請求項１に記載の方法。
【請求項４】
前記要素に対して前記操作コントロールに対応する操作を実行した後、
前記操作不可要素を操作可能状態に戻すこと、をさらに含む、
請求項３に記載の方法。
【請求項５】
前記要素は、番号、連絡先、プレーンテキスト、及びマルチメディアの少なくとも１つを含み、及び／又は、前記要素に合わせて生成される対応する前記操作コントロールは、呼び出し、ショートメッセージの送信、マルチメディアメッセージの送信、及びテキストのコピーの少なくとも１つを含む、
請求項１乃至４のいずれか一項に記載の方法。
【請求項６】
前記インターフェースに前記操作コントロールに関連する前記要素が複数あると検出された場合、前記要素に対して前記操作コントロールに対応するサービスを実行する技術特徴を表示させること、をさらに含む、
請求項１乃至４のいずれか一項に記載の方法。
【請求項７】
前記技術特徴は、移動距離、目標位置、及び移動ルートの少なくとも１つを含む、
請求項６に記載の方法。
【請求項８】
現在のインターフェースにおける要素を検出するように構成される検出モジュールと、
前記要素に合わせて、対応する操作コントロールを生成するように構成される生成モジュールと、
前記操作コントロールを前記要素上に移動させたと確認された後、前記要素に対して前記操作コントロールに対応する操作を実行するように構成される実行モジュールと、を備え、
前記実行モジュールは、さらに、前記操作コントロールを他のインターフェースに移動させるように構成され、前記他のインターフェースに前記操作コントロールに関連する前記要素が１つあると検出された場合、前記他のインターフェースにおける任意箇所に移動されると、前記要素に対応する前記操作コントロールのサービスが直接実行され、及び／又は、前記他のインターフェースに前記操作コントロールに関連する前記要素が複数あると検出された場合、前記他のインターフェースに、前記操作要素に対して前記操作コントロールに対応するサービスを実行する技術特徴が表示される、
操作処理装置。
【請求項９】
前記要素が複数のサブ要素を含む場合、前記実行モジュールは、前記操作コントロールをマッチングしている前記操作要素上に移動させたと確認された後、前記複数のサブ要素を表示させ、そして、前記操作コントロールを前記複数のサブ要素のいずれか１つ上に移動させたと確認された後、前記サブ要素に対して前記操作コントロールに対応する操作を実行するように構成される、
請求項８に記載の装置。
【請求項１０】
インターフェースにおける前記要素を、前記操作コントロールによる操作を可能とする状態にある操作可能要素と、前記操作コントロールによる操作を不可能とする状態にある操作不可要素とに分けるように構成される分類モジュール、をさらに備える、
請求項８に記載の装置。
【請求項１１】
前記分類モジュールは、さらに、前記要素に対して前記操作コントロールに対応する操作が実行された後、前記操作不可要素を操作可能状態に戻すように構成される、
請求項１０に記載の装置。
【請求項１２】
前記要素は、番号、連絡先、プレーンテキスト、及びマルチメディアの少なくとも１つを含み、及び／又は、前記要素に合わせて生成される対応する前記操作コントロールは、呼び出し、ショートメッセージの送信、マルチメディアメッセージの送信、テキストのコピー、及び放送の少なくとも１つを含む、
請求項８乃至１１のいずれか一項に記載の装置。
【請求項１３】
前記インターフェースに前記操作コントロールに関連する操作要素が複数あると検出された場合、前記要素に対して前記操作コントロールに対応するサービスを実行する技術特徴を表示するように構成される表示モジュール、をさらに備える、
請求項８乃至１１のいずれか一項に記載の装置。
【請求項１４】
前記技術特徴は、移動距離、目標位置、及び移動ルートの少なくとも１つを含む、
請求項１３に記載の装置。
【発明の詳細な説明】
【技術分野】
【０００１】  本発明は通信分野に関し、具体的には、操作処理方法及び装置に関する。
【背景技術】
【０００２】  現在、通信操作は携帯電話が誕生してから存在する一般的な機能であり、携帯電話の基本的な役割の１つでもある。携帯電話における様々なアプリケーションがますます発展していくにつれ、携帯電話における基本的な通信操作は、だんだん、電話掛けからショートメッセージ、マルチメディアメッセージ、メール、ビデオ電話等、様々な連絡方式へと発展している。【０００３】  関連技術において、電話、メッセージ又はメールに関わらず、一般的な操作はいずれも、対象番号又はアドレスを入力又は選択してから、対応する動作をさらに行うことができる。例えば、電話を掛ける場合、まず、ダイヤル盤で通話履歴を入力するか、名刺ファイルから番号を選択する必要がある。ユーザーがショートメッセージに返信する必要がある場合にも、まず、返信対象となる番号又はショートメッセージ項目を見つけてから、ショートメッセージへの返信操作を行うことができる。【０００４】  音声通話、メッセージなどの機能が誕生してから何年も経っているにしても、人々が慣れている操作方式が大きく変化することはなく、ほとんどの操作は、操作対象を選択してから、選択された対象で提供されるインターフェースに合わせて対応する操作を行うことができる。【０００５】  ユーザー通信機能がだんだん複雑になるにつれ、お互いに連絡する中、ユーザー間はますます多くの操作を行うようになり、例えば、名刺ファイルにおいて、ユーザーが最初に電話操作しか実行できず、以降、ショートメッセージ、マルチメディアメッセージ、メール、ひいてはユーザーの誕生日に関する日程リマインダー等が次第に追加され、要素ごとに対応する操作がますます複雑になる。その結果、現在のような一般的な操作方式がますます煩雑になる。【０００６】  関連技術において、機器操作が複雑化する傾向にあるとの問題について、現在、未だに有効な対応策が提示されていない。
【発明の概要】
【発明が解決しようとする課題】
【０００７】  本発明の実施例は、機器操作が複雑化する傾向にあるとの問題を解決する操作処理方法及び装置を提供する。
【課題を解決するための手段】
【０００８】  本発明の実施例の一態様によると、現在のインターフェースにおける要素を検出することと、前記要素に合わせて、対応する操作コントロールを生成することと、前記操作コントロールを前記要素上に移動させたと確認された後、前記要素に対して前記操作コントロールに対応する操作を実行することと、を含む操作処理方法が提供される。【０００９】  前記要素が複数のサブ要素を含む場合、前記操作コントロールを前記要素上に移動させたと確認された後、前記要素に対して前記操作コントロールに対応する操作を実行することは、前記操作コントロールをマッチングしている前記要素上に移動させたと確認された後、前記複数のサブ要素を表示させることと、前記操作コントロールを前記複数のサブ要素のいずれか１つ上に移動させたと確認された後、前記サブ要素に対して前記操作コントロールに対応する操作を実行することと、を含むことが好ましい。【００１０】  インターフェースにおける前記要素を、前記操作コントロールによる操作を可能とする状態にある操作可能要素と、前記操作コントロールによる操作を不可能とする状態にある操作不可要素とに分けること、をさらに含むことが好ましい。【００１１】  前記要素に対して前記操作コントロールに対応する操作を実行した後、前記方法は、前記操作不可要素を操作可能状態に戻すこと、をさらに含むことが好ましい。【００１２】  前記要素は、番号、連絡先、プレーンテキスト、及びマルチメディアの少なくとも１つを含み、及び／又は、前記要素に合わせて生成される対応する前記操作コントロールは、呼び出し、ショートメッセージの送信、マルチメディアメッセージの送信、及びテキストのコピーの少なくとも１つを含むことが好ましい。【００１３】  前記操作コントロールを他のインターフェースに移動させること、をさらに含み、前記他のインターフェースに、前記操作コントロールに関連する前記要素が１つあると検出された場合、前記他のインターフェースにおける任意箇所に移動させると、前記要素に対応する前記操作コントロールのサービスを直接実行し、前記他のインターフェースに、前記操作コントロールに関連する前記要素が複数あると検出された場合、前記他のインターフェースに、前記操作要素に対して前記操作コントロールに対応するサービスを実行する技術特徴を表示させることが好ましい。【００１４】  前記インターフェースに前記操作コントロールに関連する前記要素が複数あると検出された場合、前記要素に対して前記操作コントロールに対応するサービスを実行する技術特徴を表示させること、をさらに含むことが好ましい。【００１５】  前記技術特徴は、移動距離、目標位置、及び移動ルートを含むことが好ましい。【００１６】  本発明の実施例の他の一態様によると、現在のインターフェースにおける要素を検出するように構成される検出モジュールと、前記要素に合わせて、対応する操作コントロールを生成するように構成される生成モジュールと、前記操作コントロールを前記要素上に移動させたと確認された後、前記要素に対して前記操作コントロールに対応する操作を実行するように構成される実行モジュールと、を備える操作処理装置がさらに提供される。【００１７】  前���要素が複数のサブ要素を含む場合、前記実行モジュールは、前記操作コントロールをマッチングしている前記操作要素上に移動させたと確認された後、前記複数のサブ要素を表示させ、そして、前記操作コントロールを前記複数のサブ要素のいずれか１つ上に移動させたと確認された後、前記サブ要素に対して前記操作コントロールに対応する操作を実行するように構成されることが好ましい。【００１８】  インターフェースにおける前記要素を、前記操作コントロールによる操作を可能とする状態にある操作可能要素と、前記操作コントロールによる操作を不可能とする状態にある操作不可要素とに分けるように構成される分類モジュール、をさらに備えることが好ましい。【００１９】  前記分類モジュールは、さらに、前記要素に対して前記操作コントロールに対応する操作が実行された後、前記操作不可要素を操作可能状態に戻すように構成されることが好ましい。【００２０】  前記要素は、番号、連絡先、プレーンテキスト、及びマルチメディアの少なくとも１つを含み、及び／又は、前記要素に合わせて生成される対応する前記操作コントロールは、呼び出し、ショートメッセージの送信、マルチメディアメッセージの送信、及びテキストのコピーの少なくとも１つを含むことが好ましい。【００２１】  前記実行モジュールは、さらに、前記操作コントロールを他のインターフェースに移動させるように構成され、前記他のインターフェースに前記操作コントロールに関連する前記要素が１つあると検出された場合、前記他のインターフェースにおける任意箇所に移動されると、前記要素に対応する前記操作コントロールのサービスが直接実行され、及び／又は、前記他のインターフェースに前記操作コントロールに関連する前記要素が複数あると検出された場合、前記他のインターフェースに、前記操作要素に対して前記操作コントロールに対応するサービスを実行する技術特徴が表示されることが好ましい。【００２２】  前記インターフェースに前記操作コントロールに関連する操作要素が複数あると検出された場合、前記要素に対して前記操作コントロールに対応するサービスを実行する技術特徴を表示するように構成される表示モジュール、をさらに備えることが好ましい。【００２３】  前記技術特徴は、移動距離、目標位置、及び移動ルートを含むことが好ましい。
【発明の効果】
【００２４】  本発明の実施例によれば、現在のインターフェースにおける要素を検出し、当該要素に合わせて、対応する操作コントロールを生成し、当該操作コントロールを前記要素上に移動させたと確認された後、当該要素に対して当該操作コントロールに対応する操作を実行することにより、機器操作が複雑化する傾向にあるとの問題を解決し、ユーザーの操作体験を向上させる。
【図面の簡単な説明】
【００２５】  ここで説明した図面は、本発明の実施例をさらに理解させるためのものであり、本願の一部を構成し、また、本発明における模式的実施例及びその説明は本発明を説明するものであり、本発明を不当に限定するものではない。図面において、
【図１】本発明の実施例による操作処理方法を示すフローチャートである。
【図２】本発明の実施例による操作処理装置の構成を示すブロック図の１である。
【図３】本発明の実施例による操作処理装置の構成を示すブロック図の２である。
【図４】本発明の好適な実施例によるモバイル端末操作処理装置の構成を示すブロック図である。
【図５】本発明の好適な実施例によるモバイル端末操作処理を示すフローチャートである。
【図６】本発明の好適な実施例による通話履歴からの呼び出しの開始を示す図である。
【図７】本発明の好適な実施例によるショートメッセージモジュールの応用を示す図である。
【図８】本発明の好適な実施例による緊急呼び出し機能を示す図である。
【図９】本発明の好適な実施例によるページめくり操作を示す図である。
【発明を実施するための形態】
【００２６】  なお、衝突しない限り、本願の実施例及び実施例中の構成特徴を組み合わせることができる。以下、図面を参照しつつ実施例を結合して本発明を詳しく説明する。
【００２７】  以下の実施例において、端末はモバイル端末（例えば、携帯電話、タブレット等）であってもよいし、他のタイプの端末であってもよい。端末で実行されるオペレーティングシステムとしては、例えば、現在広く利用されているアンドロイドシステム、或いはＷｉｎｄｏｗｓオペレーティングシステム、ｉＯＳシステム等の様々なタイプのシステムであってもよいが、これには限定されない。
【００２８】  本実施例において操作処理方法が提供され、図１は、本発明の実施例による操作処理方法を示すフローチャートであり、図１に示すように、以下のステップＳ１０２〜Ｓ１０６を含む。
【００２９】  ステップＳ１０２：現在のインターフェースにおける要素を検出する。
【００３０】  ステップＳ１０４：要素に合わせて、対応する操作コントロールを生成する。
【００３１】  ステップＳ１０６：操作コントロールを要素上に移動させたと確認された後、当該要素に対して当該操作コントロールに対応する操作を実行する。
【００３２】  上記実施例において、インターフェースにおける要素については、要素を選択してから、当該要素に対して関連選択を行って対応する操作を実行することではなく、インターフェースにおける要素に対して対応する操作コントロールを生成し、操作コントロールを当該要素上に直接移動させた後、操作コントロールに対応する操作を実行するようにすることで、機器操作が複雑化する傾向にあるとの問題を解決し、ユーザーの操作体験を向上させる。
【００３３】  本実施例において、要素が複数のサブ要素を含み得る場合、操作コントロールを当該要素上に移動させたと確認された後、当該要素に対して当該操作コントロールに対応する操作を実行することは、当該操作コントロールをマッチングしている当該要素上に移動させたと確認された後、当該複数のサブ要素を表示させることと、当該操作コントロールを当該複数のサブ要素のいずれか１つ上に移動させたと確認された後、当該サブ要素に対して当該操作コントロールに対応する操作を実行することと、を含んでもよく、このように要素に対応するサブ要素を再選択する方式によって、ユーザーのために選択可能項目を増加させ、操作の正確度を向上させる。
【００３４】  例えば、端末でメールを書く中、メール要素として、送信ボックス、受信ボックス、下書きボックス等のサブ要素があり、インターフェースにおけるメール要素に応じて開けコントロールを生成し、当該開けコントロールをメール要素上に移動させた後、メール要素は送信ボックス、受信ボックス、下書きボックス等のサブ要素をさらに表示させることになり、続いて、開けコントロールを送信ボックスに移動させた後、端末で送信ボックスを開ける。
【００３５】  本実施例において、異なる操作コントロールがあり、対応する操作コントロールを選択した後、インターフェースにおける要素を分類することができ、インターフェースにおける要素を、当該操作コントロールによる操作を可能とする状態にある操作可能要素と、当該操作コントロールによる操作を不可能とする状態にある操作不可要素とに分けることが好ましく、当該要素に対して、当該操作コントロールに対応する操作を実行した後、当該操作不可要素を操作可能状態に戻すことができ、対応する操作コントロールを選択した後に要素を分類することにより、ユーザーの操作中における誤操作を防止する。
【００３６】  本実施例において、現在のインターフェースでは、当該インターフェースに当該操作コントロールに関連する当該要素が複数あると検出された場合、当該要素に対して当該操作コントロールに対応するサービスを実行する技術特徴を表示させ、当該技術特徴は移動距離、目標位置、ルートを含むことができ、要素の技術特徴の多様化はユーザーのために異なるユーザー体験をもたらし、ユーザーが操作コントロールに対して、異なる選択を行ってサービスの操作を実行させることができる。
【００３７】  例えば、現在の音楽インターフェースに合わせて、対応する放送コントロールを生成し、現在のインターフェースにおいて放送できる歌が複数ある場合、ユーザーが当該放送コントロールで放送対象となる歌を選択しやすくするために、ユーザーの聴き回数に基づいて歌を配列する。
【００３８】  本実施例において、要素は、番号、連絡先、プレーンテキスト、及びマルチメディアのうちの少なくとも１つを含むことができ、当該要素に合わせて生成可能な対応する当該操作コントロールは、呼び出し、ショートメッセージの送信、マルチメディアメッセージの送信、及びテキストのコピーの少なくとも１つを含むが、本発明の実施例では上述した要素と操作コントロールに限定されず、インターフェースにおける異なる機能要素に合わせて、異なる対応する操作コントロールを生成してもよい。
【００３９】  本実施例において、操作コントロールは現在のインターフェースで操作されることができるだけでなく、他の複数のインターフェースに移動させて操作されることもできる。操作コントロールを他のインターフェースに移動させ、当該他のインターフェースに当該操作コントロールに関連する当該要素が１つあると検出された場合、当該他のインターフェースにおける任意箇所に移動させると、当該要素に対応する当該操作コントロールのサービスを直接実行し、また、当該他のインターフェースに当該操作コントロールに関連する当該要素が複数あると検出された場合、当該他のインターフェースに、当該操作要素に対して当該操作コントロールに対応するサービスを実行する技術特徴を表示させることが好ましく、当該技術特徴は移動距離、目標位置、ルートを含むことができ、操作コントロールを異なるインターフェース間で移動させることにより、ユーザーによる自律操作の選択余地を増加させ、ユーザー体験を向上させる。
【００４０】  本実施例において、上述の方法を実現するための操作処理装置がさらに提供され、上述の実施例及び好適な実施形態で説明したものについて、ここではその説明を省略する。
【００４１】  なお、下記装置におけるモジュールの名称は当該モジュールを限定するものではなく、例えば、検出モジュールは「現在のインターフェースにおける要素を検出するように構成されるモジュール」として表記されることができ、また、以下のモジュールはいずれもプロセッサで実現されることができ、例えば、検出モジュールは「現在のインターフェースにおける要素を検出するためのプロセッサ」又は「検出モジュールを備えるプロセッサ」等として表記されることができる。
【００４２】  図２は本発明の実施例による操作処理装置の構成を示すブロック図の１であり、図２に示すように、当該装置は、検出モジュール２２と、生成モジュール２４と、実行モジュール２６とを備え、以下、該構成について説明する。
【００４３】  検出モジュール２２は、現在のインターフェースにおける要素を検出するように構成される。
【００４４】  生成モジュール２４は、当該要素に合わせて、対応する操作コントロールを生成するように構成される。
【００４５】  実行モジュール２６は、当該操作コントロールを当該要素上に移動させたと確認された後、当該要素に対して当該操作コントロールに対応する操作を実行するように構成される。
【００４６】  上記装置によると、インターフェースにおける要素については、要素を選択してから、当該要素に対して関連選択を行って対応する操作を実行することではなく、インターフェースにおける要素に対して対応する操作コントロールを生成し、操作コントロールを当該要素上に直接移動させた後、操作コントロールに対応する操作を実行するようにすることで、機器操作が複雑化する傾向にあるとの問題を解決し、ユーザーの操作体験を向上させる。
【００４７】  本実施例において、要素が複数のサブ要素を含む場合、当該実行モジュールは、当該操作コントロールをマッチングしている当該操作要素上に移動させたと確認された後、当該複数のサブ要素を表示させ、そして、当該操作コントロールを当該複数のサブ要素のいずれか１つ上に移動させたと確認された後、当該サブ要素に対して当該操作コントロールに対応する操作を実行するように構成される。
【００４８】  図３は本発明の実施例による操作処理装置の構成を示すブロック図の２であり、図３に示すように、該装置は、検出モジュール２２と、生成モジュール２４と、実行モジュール２６と、分類モジュール３２と、表示モジュール３４とを備え、検出モジュール２２、生成モジュール２４及び実行モジュール２６は上述で説明した同様な機能を実現するものであり、ここではその説明を省略する。以下、該装置について説明する。
【００４９】  分類モジュール３２は、インターフェースにおける当該要素を、当該操作コントロールによる操作を可能とする状態にある操作可能要素と、当該操作コントロールによる操作を不可能とする状態にある操作不可要素とに分けるように構成され、さらに、当該要素に対して、当該操作コントロールに対応する操作を実行した後、当該操作不可要素を操作可能状態に戻すように構成される。
【００５０】  表示モジュール３４は、インターフェースに操作コントロールに関連する操作要素が複数あると検出された場合、当該要素に対して当該操作コントロールに対応するサービスを実行する技術特徴を表示するように構成され、当該技術特徴は移動距離、目標位置、ルートを含む。
【００５１】  本実施例において、実行モジュール２６は、さらに、操作コントロールを他のインターフェースに移動させるように構成され、当該他のインターフェースに当該操作コントロールに関連する当該要素が１つあると検出された場合、当該他のインターフェースにおける任意箇所に移動されると、当該要素に対応する当該操作コントロールのサービスが直接実行され、及び／又は、当該他のインターフェースに当該操作コントロールに関連する当該要素が複数あると検出された場合、当該他のインターフェースに、当該操作要素に対して当該操作コントロールに対応するサービスを実行する技術特徴が表示される。
【００５２】  以下、好適な実施例及び実施形態を結合しながら本発明を説明する。
【００５３】  （好適な実施例１）
この好適な実施例において操作を素早く開始することができる方法が提供され、操作の開始エントリーと対応する要素とを完全に分離させている。携帯電話における様々な操作実行可能インターフェースに、タッチパネルを介してドラッグ可能な対応する操作コントロールを設ける。操作コントロールがユーザーによりある具体的なインターフェース要素にドラッグされると、当該インターフェース要素に対して対応する操作を直接開始する。
【００５４】  当該操作コントロールの操作タイプや数量は、インターフェース上の要素に応じて自動的に生成される。例えば、ショートメッセージリストインターフェースの場合、インターフェースに番号、連絡先、プレーンテキストが存在するため、対応する操作コントロールとして、呼び出し、ショートメッセージの送信、マルチメディアメッセージの送信、テキストのコピーがインターフェースに出現する。ブラウザインターフェースの場合、現在のページに呼び出し可能な番号が存在するときに、ユーザーの操作のために、ダイヤルコントロールを自動的に生成してインターフェースに表示させる。ユーザーが操作することによって、現在のページに呼び出し可能な番号がなくなる場合、ダイヤルコントロールが自動的に消える。
【００５５】  この好適な実施例において、ユーザーがある対応する操作コントロールを選択した後に、インターフェースにおける当該操作コントロールとは無関係の要素は、全て操作不可状態となる。例えば、ユーザーが呼び出し操作コントロールをドラッグすると、インターフェースにおける操作可能状態の要素は、呼び出し操作を実行可能な要素のみであり、ユーザーが当該操作コントロールへの操作を解除したら、インターフェースが元の状態に戻る。
【００５６】  この好適な実施例において、当該インターフェースにおける元素が複数のサブ要素を含む場合、操作コントロールを再びドラッグする操作特徴ことにより、サブ要素を選択して操作を開始することができる。例えば、名刺ファイルに複数の番号が保存されており、ダイヤルコントロールを当該名刺に関連するアバター上にドラッグすると、当該名刺ファイル内の複数の番号を表示させ、ダイヤルコントロールを再びドラッグすることで所望の番号をダイヤルアップに選択することができ、当該操作特徴は、特定のドラッグ距離、特定の目標位置、ルート等であってもよい。
【００５７】  上述の好適な実施例では、当該操作可能なインターフェースにおいて、ユーザーが異なる要素を１ページ内に自由に配置してもよい。
【００５８】  図４は、本発明の好適な実施例によるモバイル端末の操作処理装置の構成を示すブロック図であり、図４に示すように、モバイル端末４０は、検出モジュール４２と、コントロール生成モジュール４４と、分類モジュール４６と、操作実行モジュール４８とを備え、モバイル端末において、上述した検出モジュール４２、コントロール生成モジュール４４、分類モジュール４６、及び操作実行モジュール４８は、それぞれ検出モジュール２２、生成モジュール２４、分類モジュール３２、及び実行モジュール２６と同様な機能を実現し、以下、該装置について説明する。
【００５９】  検出モジュール４２は、現在のインターフェースの要素にサポートされる全ての操作を検出するように構成される。
【００６０】  コントロール生成モジュール４４は、検出モジュールにより検出された実行可能な操作に合わせて、携帯電話のインターフェース上に、対応する操作コントロールを生成するように構成される。
【００６１】  分類モジュール４６は、ユーザーに操作されている操作コントロールのタイプによって、インターフェースにおける全ての要素を、モバイル端末により操作可能状態に設定された現在の操作コントロールによる操作を可能とする要素と、モバイル端末により操作不可状態に設定された現在の操作コントロールによる操作を不可能とする要素とに分けるように構成される。
【００６２】  操作実行モジュール４８は、ユーザーが操作コントロールを対応する操作可能要素にドラッグするインターフェース操作に応じて、対応する端末動作を実行するように構成される。
【００６３】  ユーザーが画面におけるスライドとクリックとの２種類の操作により慣れているため、この好適な実施例で提供される方式により、ユーザーが携帯電話の機能を利用する時の操作感をさらに増加させ、ユーザー体験をより好適なものにする。
【００６４】  この好適な実施例において、操作要素と被操作要素とを分離させることで、ユーザーが異なる要素を同一のページ内に自由に配置し、例えば、音楽とショートメッセージをまとめて配置することができ、ユーザーが音楽に関するコントロールを操作する際に、ショートメッセージが利用不可状態にある一方、音楽が操作不可状態にある。これにより、ユーザーの利用時の操作自由度を向上させるとともに、操作混乱を引き起こすことはなく、ユーザーに抜群の操作快感をもたらすことができる。
【００６５】  （好適な実施例２）
図５は、本発明の好適な実施例によるモバイル端末の操作処理を示すフローチャートであり、図５に示すように、この好適な実施例の方式が全てのモジュールに適用されるため、図５において、携帯電話における代表的なサービスである音声呼開始を例として、好適な実施例に係る操作処理プロセスを説明し、当該フローチャートは以下のステップＳ５０２〜Ｓ５２４を含む。
【００６６】  ステップＳ５０２：呼び出しを開始可能な要素、例えば、名刺ファイル、ダイヤル盤、ショートメッセージリスト等が存在するインターフェース上に、ドラッグ可能な呼び出しダイヤルコントロールを生成する。
【００６７】  ステップＳ５０４：携帯電話が当該呼び出しダイヤルコントロールを含むインターフェースに移行した後、当該ダイヤルコントロールへのスライド操作を検出する。
【００６８】  ステップＳ５０６：ダイヤルコントロールをドラッグする操作が発見されると、最終位置として番号に関連するインターフェース要素上までドラッグしているか否かを判定する。
【００６９】  ステップＳ５０８：ダイヤルコントロールは、番号に関連するインターフェース要素上にドラッグされていなければ、自動的に元の位置に戻り、次回の操作を待つ。
【００７０】  ステップＳ５１０：ダイヤルコントロールは、最後、番号に関連するインターフェース要素上にドラッグされていれば、当該要素が１つだけの番号に対応するか否かを判定する。
【００７１】  ステップＳ５１２：当該インターフェース要素が、例えば、通話履歴の１件、番号を１つだけ含む名刺、又は本文に何ら番号も含まれていないショートメッセージ（１つの送信元番号だけを含む）等、１つだけの番号に対応していれば、当該番号への呼び出しを直接開始する。
【００７２】  ステップＳ５１４：当該インターフェース要素が複数の番号に対応していれば、各番号（又は、当該番号に対応する他の識別情報、例えば、氏名、描出）を表示させるとともに、インターフェース上に、それぞれの番号への呼び出しを開始するためにダイヤルコントロールをスライドさせる対応する距離を提示する。
【００７３】  ステップＳ５１６：ダイヤルコントロールへのスライド操作を検出する。
【００７４】  ステップＳ５１８：所定の時間内にユーザーによる操作がなければ、ダイヤルコントロールが自動的に元の位置に戻り、今回の処理過程を終了させ、ユーザーによる次回の操作を待つ。
【００７５】  ステップＳ５２０：ユーザーがダイヤルコントロールを適時に操作していれば、ユーザーによるダイヤルコントロールのドラッグ距離がある番号に対応する距離要求を満足するか否かを判定する。
【００７６】  ステップＳ５２２：ユーザーの操作がいずれの番号に対応する要求も満足していなければ、ダイヤルコントロールが当該ユーザーによる操作直前の位置に戻り、ユーザーがスライド操作によりそれらから１つの番号を呼び出しに選択するのをさらに待つ。
【００７７】  ステップＳ５２４：一方、ユーザーの操作がある番号に対応する距離要求を満足していれば、当該番号への呼び出しを直接開始する。
【００７８】  上記ステップを経て、ダイヤルできる要素が存在するインターフェースのそれぞれに呼び出しダイヤルコントロールが存在する場合、ユーザーが呼び出しコントロールを、番号を含む任意の１つの要素上にドラッグすることで呼び出しを開始することができ、番号を含む要素に１つを超えた番号が含まれている場合、番号ごとにドラッグ操作特徴をインターフェースに表示させることになり、上記好適な実施例において、当該特徴とは、対応するドラッグ距離である。ユーザーによるダイヤルコントロールの操作がある番号に対応する特徴を満足すると、当該番号への呼び出しを開始する。
【００７９】  当該操作処理装置は、検出モジュールと、コントロール生成モジュールと、分類モジュールと、操作実行モジュールとを備え、上述したモジュールは、実施例における検出モジュール４２、コントロール生成モジュール４４、分類モジュール４６、及び操作実行モジュール４８と同様な機能を実現し、以下、該装置について詳しく説明する。
【００８０】  検出モジュールは現在のページにおける全ての要素にそれぞれサポートできる操作を検出し、検出の完了後、現在のページで実行可能な操作を全てコントロール生成モジュールに伝送し、コントロール生成モジュールはインターフェース上に、対応する操作コントロールを生成する。
【００８１】  ユーザーがあるコントロールを操作した後、分類モジュールは、ユーザーが現在操作しているコントロールに応じて、インターフェースにおける全ての要素を操作可能要素と操作不可要素とに分けるとともに、操作可能要素を操作可能状態に、操作不可要素を操作不状態にセットするように発効する。ユーザーが現在の操作コントロールを操作して、ある操作可能要素への操作を開始し、例えば、当該操作コントロールを当該操作可能要素上にドラッグする場合、操作実行モジュールを、当該要素に対してユーザーによる当該操作を実行させるように起動する。
【００８２】  最後、携帯電話のインターフェース、アプリケーションプログラム及び無線周波数などが当該操作に応答し、全体の操作プロセスが終了する。
【００８３】  以下、具体的な応用場面を結合しながら本発明の好適な実施例及び実施形態を説明する。
【００８４】  図６は、本発明の好適な実施例による通話履歴からの呼び出しの開始を示す図であり、図６に示すように、
当該操作コントロールが画面の下側にある。図６に示すように、当該ページにおいて、連絡先の氏名についてメッセージ、電話操作を行うことができ、電話番号について、この２つの操作に加え、名刺として保存する操作を行うこともできるため、画面の下側において、メッセージ、電話、保存という３つの操作コントロールを自動的にページに生成させる。
【００８５】  ユーザーが指で電話ダイヤルコントロールを氏名１にドラッグすると、携帯電話が、当該操作への応答として、氏名１をダイヤル呼び出しする。
【００８６】  図７は、本発明の好適な実施例によるショートメッセージモジュールの応用を示す図であり、図７に示すように、
ショートメッセージリストに複数件のショートメッセージがあり、送信元が氏名１である最新のショートメッセージの本文には何ら番号も含まれておらず、送信元が氏名２である最新のショートメッセージの本文には、電話番号として識別された番号が１つ含まれ、送信元が氏名１である最新のショートメッセージの本文には、電話番号として識別された番号が２つ含まれるとする。
【００８７】  この好適な実施例において、現在のインターフェースで操作可能な要素はショートメッセージしかなく、ショートメッセージで操作可能な要素はショートメッセージの送信元、ショートメッセージ本文における番号を含む。ショートメッセージに対応する操作がメッセージの開き、削除、返信を含み、また、ショートメッセージの送信元、ショートメッセージ本文における番号に対応する操作として、メッセージへの返信、呼び出しがあるため、現在のインターフェースに開き、削除、返信、呼び出しという４つの操作コントロールを表示させる。
【００８８】  ユーザーが呼び出しコントロールを、氏名２が存在するショートメッセージにドラッグするように操作する場合、当該ショートメッセージにそれぞれ、氏名２とショートメッセージにおける電話番号である番号２という２つの呼び出し可能な要素があるため、この好適な実施例において、ユーザーが操作コントロールを再び操作してそれらから１つを呼び出しに選択することが必要である。
【００８９】  この好適な実施例において、異なる目標位置を用いて操作要素を区別することにより、ユーザーが呼び出しコントロールを氏名２が存在する箇所にドラッグした後、インターフェースにおける他の要素のいずれも操作不可状態となり、異なる位置に氏名２と番号２という２つの呼び出し可能な対象が出現し、この場合、ユーザーが再び呼び出しコントロールを氏名２上にドラッグすると、氏名２への呼び出し操作を直接開始する。
【００９０】  図８は、本発明の好適な実施例による緊急呼び出し機能を示す図であり、図８に示すように、
現在、国内では、呼び出し可能な緊急呼び出し番号及びこれら番号に対応する機能を知らないユーザーが少なくない。結果、多くの緊急状況下でどのような番号を呼び出すべきか、ユーザーが迷ってしまう。この好適な実施例において、緊急呼び出しインターフェースがダイヤル盤の存在を必須とする現状を徹底的に変えることができる。図８に示すように、緊急呼び出しインターフェースにおいて、呼び出し可能な要素として、火災、盗難、急病通報番号等の固定電話番号があり、ユーザーが記憶通りに入力する際に、番号と機能との対応関係が混乱になってしまうのを回避するために、これらの番号を自動的に生成させてインターフェース上に設定することができる。
【００９１】  これらの緊急呼び出し番号について、緊急呼び出しを開始する操作しが実行できないため、緊急呼び出しコントロールを設定し、表示効果といえば、ユーザーが手を使って呼び出しダイヤルコントロールを緊急呼び出しコントロール上にドラッグする際に、携帯電話に、呼び出し可能な緊急呼び出し番号又は対応する機能を自動的に表示させ（例えば、「救急電話」を１２０として直接表示し、「交通事故」を１１４として直接表示する）、さらに、如何にして呼び出しダイヤルコントロールをドラッグして当該緊急呼び出しを開始するかユーザーを案内するようにし、図９の実施例において、ユーザーがドラッグ距離によってどの番号を呼び出すか選択することができるのは明らかなことであり、かなり自由でユーザー体験が優れている操作方式となり、ユーザーがコントロールをどの方向へドラッグしても、最終的にドラッグした距離がある要素の判定基準に達していれば、当該要素への緊急呼び出しを直接開始する。
【００９２】  この好適な実施例において、ユーザーは緊急呼び出し番号を記憶する必要はなく、いつでも所要の緊急呼び出しを簡単に開始することができる。
【００９３】  携帯電話端末のアプリケーションにおいて、ユーザーが操作するにつれ、現在のインターフェースにおける一部の要素が隠れたり消えたりすることがあり、この好適な実施例では、操作可能な操作コントロールを自動的に更新することができる。
【００９４】  図９は、本発明の好適な実施例によるページめくり操作を示す図であり、図９に示すように、例えば、ブラウザにおいて、ブラウザのページに呼び出しを開始可能な番号が存在することがあるが、ユーザーによるページめくり等の操作に伴って、これらの番号が消えてしまうこともある。この場合、該ページにおける呼び出し可能な番号の有無によって、該ページに呼び出しダイヤルコントロールを表示させる必要があるか否かを自動的に判定することができる。
【００９５】  図９に示すように、ブラウザの閲覧ページに呼び出し可能な番号が存在する場合、ブラウザに呼び出しダイヤルコントロールを表示させ、ユーザーが該コントロールを番号上にドラッグすれば、呼び出しを直接開始することができる。ユーザーがページにおける表示内容を変更させることにより番号を消えさせると、ダイヤルコントロールも消える。
【００９６】  従来技術に比べ、このような方法は、操作が簡便であるだけでなく、呼び出しダイヤルコントロールを表示させたり消えさせたりすることにより、ユーザーをある程度案内するように機能することができる。
【００９７】  もちろん、当業者にとって、上記の本発明に係る各モジュール又は各ステップは汎用の演算装置によって実現することができ、単独の演算装置に集中させることができるし、或いは、複数の演算装置からなるネットワークに分布させることもでき、或いは、演算装置が実行可能なプログラムコードによって実現することで、それらを記憶装置に記憶させて演算装置によって実行することもでき、或いは、それらを夫々集積回路モジュールに作製し、或いはそのうちの複数のモジュール又はステップを単一の集積回路モジュールに作製して実現可能であることは明らかなことである。このように、本発明の実施例は如何なる特定のハードウェアとソフトウェアの組み合わせにも限定されない。
【００９８】  以上は、本発明の好適な実施例に過ぎず、本発明を限定することは意図していない。当業者であれば、本発明に様々な変更や変形が可能である。本発明の思想や原則内の如何なる修正、均等の置き換え、改良なども、本発明の保護範囲内に含まれるべきである。
【産業上の利用可能性】
【００９９】  本発明の実施例で提供される技術案は、通信分野に適用されることができ、機器操作が複雑化する傾向にあるとの問題を解決し、ユーザーの操作体験を向上させる。
【図１】
0006273043.tif 000002
【図２】
0006273043.tif 000003
【図３】
0006273043.tif 000004
【図４】
0006273043.tif 000005
【図５】
0006273043.tif 000006
【図６】
0006273043.tif 000007
【図７】
0006273043.tif 000008
【図８】
0006273043.tif 000009
【図９】
0006273043.tif 000010